(57)【要約】【課題】複数の組電池間を接続する接続部材にかかる電圧の検出結果が正常な検出結果であるか否かを精度高く判定する。【解決手段】制御装置は、端部間電圧を取得するステップ（Ｓ１００）と、電流を取得するステップ（Ｓ１０２）と、消費電力を算出するステップ（Ｓ１０４）と、電流に基づく許容値を設定するステップ（Ｓ１０６）と、最大値と最小値とを設定するステップ（Ｓ１０８）と、Ｐｂｂ＿ｍａｘ−Ｐｂｂ＿ｍｉｎが許容値よりも大きいと（Ｓ１１０にてＹＥＳ）、バスバー温度を取得するステップ（Ｓ１１２）と、許容温度を設定するステップ（Ｓ１１４）と、バスバー温度が許容温度よりも高いと（Ｓ１１６にてＹＥＳ）、端部間電圧の検出結果が正常な検出結果でないと判定するステップ（Ｓ１１８）とを含む、処理を実行する。【選択図】図３
2019149235.tif 000002
【特許請求の範囲】
【請求項１】
第１組電池と、第２組電池と、前記第１組電池および前記第２組電池を直列に接続する接続部材とを含むバッテリと、
前記接続部材の一方端部と他方端部との間の端部間電圧を検出する第１検出部と、
前記バッテリに流れる電流を検出する第２検出部と、
前記バッテリの周辺の環境温度を検出する第３検出部と、
前記接続部材の温度を検出する第４検出部と、
前記端部間電圧と前記電流とを用いて前記接続部材における電力を算出し、算出された前記電力と、前記環境温度と、前記電力と前記環境温度と前記接続部材の温度との予め定められた関係を用いて前記接続部材の温度を取得し、取得された前記接続部材の温度と、前記第４検出部によって検出される前記接続部材の温度との比較結果を用いて前記第１検出部による検出結果が正常な検出結果であるか否かを判定する判定部とを備える、電源装置。
【発明の詳細な説明】
【技術分野】
【０００１】
本開示は、複数の組電池を有する電源装置に関する。
【背景技術】
【０００２】
従来、複数の組電池を備えた電源装置においては、複数の組電池間がバスバー等の接続部材によって接続される場合がある。このような電源装置においては、各組電池は、電圧検出装置を用いてその電圧が監視される。たとえば、特開２０１１−２５３７２１号公報（特許文献１）には、複数の燃料電池において２以上に区分されたグループ毎の電圧を監視する電圧監視装置について開示される。
【先行技術文献】
【特許文献】
【０００３】
【特許文献１】特開２０１１−２５３７２１号公報
【発明の概要】
【発明が解決しようとする課題】
【０００４】
上述のように複数の組電池間が接続部材を用いて接続される場合において、この接続部材は、たとえば、ボルト等を用いて各組電池の端子に締結される場合がある。このような場合に、ボルト等の締結に緩みなどがあると、接続部材における導通抵抗が高くなる場合がある。その結果、接続部材の温度が不必要に上昇する場合がある。そのため、接続部材にかかる電圧を検出することによって接続部材において消費される電力を検出することも考えられるが、検出された電圧が正常に検出された電圧であるか否かを判定できない場合がある。上述した特許文献１においては、このような問題について何ら考慮されていない。
【０００５】
本開示は、上述した課題を解決するためになされたものであって、その目的は、複数の組電池間を接続する接続部材にかかる電圧の検出結果が正常な検出結果であるか否かを精度高く判定する電源装置を提供することである。
【課題を解決するための手段】
【０００６】
本開示のある局面に係る電源装置は、第１組電池と、第２組電池と、第１組電池および第２組電池を直列に接続する接続部材とを含むバッテリと、接続部材の一方端部と他方端部との間の端部間電圧を検出する第１検出部と、バッテリに流れる電流を検出する第２検出部と、バッテリの周辺の環境温度を検出する第３検出部と、接続部材の温度を検出する第４検出部と、端部間電圧と電流とを用いて接続部材における電力を算出し、算出された電力と、環境温度と、電力と環境温度と接続部材の温度との予め定められた関係を用いて接続部材の温度を取得し、取得された接続部材の温度と、第４検出部によって検出される接続部材の温度との比較結果を用いて第１検出部による検出結果が正常な検出結果であるか否かを判定する判定部とを備える。
【０００７】
このようにすると、第４検出装置によって検出される接続部材の温度と、電圧と電流と環境温度とから取得される接続部材の温度との比較結果を用いて、第１検出装置による検出結果が正常な検出結果であるか否かを精度高く判定することができる。
【発明の効果】
【０００８】
本開示によると、複数の組電池間を接続する接続部材に係る電圧の検出結果が正常な検出結果であるか否かを精度高く判定する電源装置を提供することができる。
【図面の簡単な説明】
【０００９】
【図１】本実施の形態に係る電源装置の全体構成を示す図である。
【図２】複数の組電池間の接続構成の一例を説明するための図である。
【図３】制御装置で実行される処理を示すフローチャートである。
【発明を実施するための形態】
【００１０】
以下、本開示の実施の形態について、図面を参照しながら詳細に説明する。なお、図中同一または相当部分には同一符号を付してその説明は繰り返さない。
【００１１】
図１は、本実施の形態に係る電源装置１の全体構成を示す図である。図１に示すように、本実施の形態に係る電源装置１は、制御装置１０と、バッテリ２０と、電圧測定部３０と、環境温度センサ４０と、バスバー温度センサ４２と、電流センサ５０とを備える。
【００１２】
本実施の形態において、バッテリ２０は、たとえば、車両等に搭載されたバッテリである。バッテリ２０は、図示しない電気負荷に電力を供給する。電気負荷は、たとえば、インバータやコンバータ等の電力変換装置と、車両の動力源となり得るモータジェネレータとを含む。
【００１３】
バッテリ２０は、複数の組電池を含む。本実施の形態において、バッテリ２０は、第１組電池２２と、バスバー２４ａ，２４ｂ，２４ｃと、第２組電池２６と、第３組電池２８ａと、第４組電池２８ｂとを含む。なお、バッテリ２０に含まれる組電池の個数は、特に４個に限定されるものではない。組電池は、同じ個数の電池セルによって構成されるものであってもよいし、あるいは、異なる個数の電池セルによって構成されるものであってもよい。
【００１４】
第１組電池２２は、複数個の電池セルを含む。本実施の形態において、第１組電池２２は、所定数（本実施の形態においては、たとえば、３個）の電池セルを並列に接続した電池ブロック２２ｂを所定数だけ直列に接続した構成を有する。
【００１５】
第２組電池２６は、複数個の電池セルを含む。本実施の形態において、第２組電池２６は、所定数（本実施の形態においては、たとえば、３個）の電池セルを並列に接続した電池ブロック２６ｂを所定数だけ直列に接続した構成を有する。
【００１６】
なお、第３組電池２８ａおよび第４組電池２８ｂは、第１組電池２２と同様の構成を有する。そのため、それらの詳細な説明は繰り返さない。
【００１７】
第１組電池２２と、第２組電池２６とは、バスバー２４ａによって直列に接続される。バスバー２４ａは、たとえば、第１組電池２２の電極端子（たとえば、負極端子）と第２組電池２６の反対の極性の電極端子（たとえば、正極端子）とを接続可能な形状に形成された通電可能な接続部材である。なお、バスバー２４ａは、第１組電池２２の正極端子と第２組電池２６の負極端子とを接続する構成であってもよい。
【００１８】
同様に、第２組電池２６と、第３組電池２８ａとは、バスバー２４ｂによって直列に接続される。さらに、第３組電池２８ａと、第４組電池２８ｂとは、バスバー２４ｃによって直列に接続される。バスバー２４ｂによる第２組電池２６と第３組電池２８ａとの接続構成およびバスバー２４ｃによる第３組電池２８ａと第４組電池２８ｂとの接続構成は、いずれもバスバー２４ａによる第１組電池２２と第２組電池２６との接続構成と同様である。そのため、それらの詳細な説明は繰り返さない。
【００１９】
図２は、複数の組電池間の接続構成の一例を説明するための図である。図２に示すように、第１組電池２２は、所定数の電池ブロック２２ｂと、複数のブロック間バスバー２２ｃと、端子バスバー２２ｄとを含む。
【００２０】
電池ブロック２２ｂは、複数の電池セル２２ａを含む。本実施の形態においては、電池ブロック２２ｂは、３個の角型の電池セル２２ａが一列に配列されることによって構成される。電池ブロック２２ｂにおいて、電池セル２２ａは、正極端子および負極端子が設けられる面を上面とし、上面の長方形状における長手方向の辺が、隣接する電池セル２２ａの上面の長方形状における長手方向の辺と対向する位置関係になるように配列される。
【００２１】
電池ブロック２２ｂは、隣接する電池ブロック２２ｂと、ブロック間バスバー２２ｃによって直列に接続される。具体的には、ブロック間バスバー２２ｃは、電池ブロック２２ｂに含まれる３個の電池セル２２ａにおいて同じ極性の電極端子（たとえば、正極端子）の各々に接続される。さらに、ブロック間バスバー２２ｃは、隣接する電池ブロック２２ｂに含まれる３個の電池セル２２ａにおいて同じ極性の電極端子であって、かつ、接続先の電池ブロック２２ｂの電極端子と異なる極性の電極端子（たとえば、負極端子）の各々に接続される。このように、ブロック間バスバー２２ｃによって、電池ブロック２２ｂ内において３個の電池セル２２ａが並列に接続され、かつ、隣接する電池ブロック２２ｂとは直列に接続される。なお、ブロック間バスバー２２ｃと電池セル２２ａとは、たとえば、ボルトやナット等を用いた締結によって接続される。
【００２２】
複数の電池ブロック２２ｂのうちの端部に配置される電池ブロック２２ｂに含まれる３個の電池セル２２ａにおいては、いずれかの一方の電極端子の各々にブロック間バスバー２２ｃが接続されるのに対して、他方端の電極端子の各々には端子バスバー２２ｄが接続される。端子バスバー２２ｄの一方端側には、３個の電池セル２２ａの電極端子の各々が接続され、端子バスバー２２ｄの他方端には、バスバー２４ａの一方端が接続される。なお、端子バスバー２２ｄと電池セル２２ａとは、たとえば、ボルトやナット等を用いた締結によって接続される。端子バスバー２２ｄとバスバー２４ａとは、たとえば、ボルトやナット等を用いた締結によって接続される。図２に示す端子バスバー２２ｄは、第１組電池２２の負極端子に対応する。
【００２３】
第２組電池２６は、所定数の電池ブロック２６ｂと、複数のブロック間バスバー２６ｃと、端子バスバー２６ｄとを含む。また、電池ブロック２６ｂは、複数の電池セル２６ａを含む。第２組電池２６の構成は、第１組電池２２の構成と同様である。また、第３組電池２８ａおよび第４組電池２８ｂの構成についても第１組電池２２の構成と同様である。そのため、それらの詳細な説明は繰り返さない。
【００２４】
端子バスバー２６ｄの一方端側には、３個の電池セル２６ａの電極端子の各々が接続され、端子バスバー２６ｄの他方端には、バスバー２４ａの他方端が接続される。なお、端子バスバー２６ｄとバスバー２４ａとは、たとえば、ボルトやナット等を用いて締結によって接続される。図２に示す端子バスバー２６ｄは、第２組電池２６の正極端子に対応する。
【００２５】
なお、バスバー２４ｂは、複数の組電池の接続先が第２組電池２６および第３組電池２８ａであることが異なる点を除き、バスバー２４ａと同様の構成を有する。また、バスバー２４ｃは、複数の組電池の接続先が第３組電池２８ａおよび第４組電池２８ｂであることが異なる点を除き、バスバー２４ａと同様の構成を有する。そのため、それらの詳細な説明は繰り返さない。
【００２６】
図１に戻って、電圧測定部３０は、バッテリ２０の複数の電池ブロック２２ｂ，２６ｂの各々の電圧等を検出する。さらに、電圧測定部３０は、第３組電池２８ａの複数の電池ブロック（図示せず）および第４組電池２８ｂの複数の電池ブロック（図示せず）の各々の電圧等を検出する。
【００２７】
第１組電池２２の正極端子、隣接する電池ブロック２２ｂの間、第１組電池２２の負極端子、第２組電池２６の正極端子、隣接する電池ブロック２６ｂの間、および、第２組電池２６の負極端子には、複数の配線の各々の一方端が接続される。
【００２８】
さらに、第３組電池２８ａの正極端子、第３組電池２８ａの電池ブロック間、第３組電池２８ａの負極端子、第４組電池２８ｂの正極端子、第４組電池２８ｂの電池ブロック間および第４組電池２８ｂの負極端子には、複数の配線の各々の一方端が接続される。複数の配線の各々の他方端は、電圧測定部３０の入力部（図示せず）に接続される。
【００２９】
電圧測定部３０は、これらの複数の配線を用いて複数の電池ブロック２２ｂ，２６ｂの各々の電圧と、第３組電池２８ａの複数の電池ブロックの各々の電圧と、第４組電池２８ｂの複数の電池ブロックの各々の電圧と、バスバー２４ａの端部間（より具体的には、第１組電池２２の負極端子と第２組電池２６の正極端子との間）の電圧Ｖｂｂ（１）と、バスバー２４ｂの端部間（より具体的には、第２組電池２６の負極端子と第３組電池２８ａの正極端子との間）の電圧Ｖｂｂ（２）と、バスバー２４ｃの端部間（より具体的には、第３組電池２８ａの負極端子と第４組電池２８ｂの正極端子との間）の電圧Ｖｂｂ（２）とを検出する。電圧測定部３０は、検出された複数の電池ブロック２２ｂ，２６ｂの各々の電圧と、第３組電池２８ａの複数の電池ブロックの各々の電圧と、第４組電池２８ｂの複数の電池ブロックの各々の電圧と、端部間電圧Ｖｂｂ（１），Ｖｂｂ（２），Ｖｂｂ（３）とを制御装置１０に送信する。
【００３０】
環境温度センサ４０は、バッテリ２０の周囲の温度（以下、環境温度と記載する）ＴＢを検出する。環境温度センサ４０は、検出した環境温度ＴＢを示す信号を制御装置１０に送信する。
【００３１】
バスバー温度センサ４２は、バスバー２４ａの温度（以下、バスバー温度と記載する）Ｔｂｂを検出する。バスバー温度センサ４２は、検出したバスバー温度Ｔｂｂを示す信号を制御装置１０に送信する。
【００３２】
電流センサ５０は、バッテリ２０に流れる電流Ｉｂを検出する。電流センサ５０は、検出した電流Ｉｂを示す信号を制御装置１０に送信する。
【００３３】
制御装置１０は、演算部１２と、記憶部１４とを含む。演算部１２は、たとえば、記憶部１４に記憶されたプログラム等の情報に基づいて所定の演算処理を実行可能に構成されるＣＰＵ（Central  Processing  Unit）を含む。
【００３４】
記憶部１４は、たとえば、ＲＯＭ（Read  Only  Memory）あるいはＲＡＭ（Random  Access  Memory）等の各種メモリを含む。
【００３５】
制御装置１０は、電圧測定部３０、環境温度センサ４０、バスバー温度センサ４２および電流センサ５０から各種信号を受信し、受信した各種信号に基づいてバッテリ２０に入出力される電力を制御する。制御装置１０は、たとえば、上述の電力変換装置を制御することによってバッテリ２０に入出力される電力を制御する。
【００３６】
以上のような構成を有する電源装置１において、たとえば、バスバー２４ａと端子バスバー２２ｄとの締結状態や、バスバー２４ａと端子バスバー２６ｄとの締結状態に緩みなどが生じると、バスバー２４ａにおける導通抵抗が高くなる場合がある。その結果、バスバー２４ａの温度が不必要に上昇する場合がある。特に、高電圧のバッテリにおいて通電電流が大きいため、温度の上昇幅も大きくなる場合がある。そのため、バスバー２４ａにかかる電圧（端部間電圧Ｖｂｂ（１））を検出することによってバスバー２４ａにおいて消費される電力を検出することも考えられるが、電圧測定部３０によって検出された端部間電圧Ｖｂｂ（１）が正常に検出された電圧であるか否かを判定できない場合がある。特に、バスバー２４ａには、必ずしも測定精度が十分確保できる程度に大きく、かつ、安定した電圧が印加されるものではないため、検出された端部間電圧Ｖｂｂ（１）が正常に検出された電圧であるか否かを精度高く判定することが求められる。
【００３７】
そこで、本実施の形態においては、制御装置１０が、以下の動作を行なうものとする。すなわち、制御装置１０は、端部間電圧Ｖｂｂ（１）と電流Ｉｂとを用いてバスバー２４ａにおける電力Ｐｂｂ（１）を算出する。制御装置１０は、算出された電力Ｐｂｂ（１）と、環境温度ＴＢと、電力Ｐｂｂ（１）と環境温度ＴＢとバスバー温度Ｔｂｂの許容温度Ｔｂｂ＿ｌｉｍｉｔとの予め定められた関係を用いてバスバー温度Ｔｂｂの許容温度Ｔｂｂ＿ｌｉｍｉｔを取得する。制御装置１０は、上述のようにして取得されたバスバー温度Ｔｂｂの許容温度Ｔｂｂ＿ｌｉｍｉｔと、バスバー温度センサ４２によって検出されたバスバー温度Ｔｂｂとの比較結果を用いて電圧測定部３０による検出結果が正常な検出結果であるか否かを判定する。
【００３８】
このようにすると、バスバー温度センサ４２によって検出されるバスバー温度Ｔｂｂと、電圧Ｖｂｂ（１）と電流Ｉｂと環境温度ＴＢとを用いて取得されるバスバー温度Ｔｂｂの許容温度Ｔｂｂ＿ｌｉｍｉｔとの比較結果を用いて、電圧測定部３０による検出結果が正常な検出結果であるか否かを精度高く判定することができる。
【００３９】
以下、図３を参照して、本実施の形態に係る電源装置１の制御装置１０によって実行される制御処理について説明する。図３は、制御装置１０で実行される処理を示すフローチャートである。このフローチャートに示される処理は、所定の制御周期毎にメインルーチン（図示せず）から呼び出されて実行される。これらのフローチャートに含まれる各ステップは、基本的には、演算部１２によるソフトウェア処理によって実現されるが、その一部または全部が制御装置１０内に作製されたハードウェア（電気回路）によって実現されてもよい。
【００４０】
ステップ（以下、ステップをＳと記載する）１００にて、制御装置１０は、電圧測定部３０から端部間電圧Ｖｂｂ（１）〜Ｖｂｂ（３）を取得する。
【００４１】
Ｓ１０２にて、制御装置１０は、電流センサ５０から電流Ｉｂを取得する。Ｓ１０４にて、制御装置１０は、端部間電圧Ｖｂｂ（１）〜Ｖｂｂ（３）の各々に電流Ｉｂを乗算することによってバスバー２４ａ，２４ｂ，２４ｃの各々における消費電力Ｐｂｂ（１）〜Ｐｂｂ（３）を算出する。
【００４２】
Ｓ１０６にて、制御装置１０は、電流Ｉｂに基づく許容値ΔＰを設定する。許容値ΔＰは、消費電力Ｐｂｂ（１）〜Ｐｂｂ（３）におけるばらつきの許容値を示す。制御装置１０は、Ｓ１０２にて取得された電流Ｉｂと予め定められたマップとを用いて許容値ΔＰを設定する。予め定められたマップは、電流Ｉｂと許容値ΔＰとの関係を示すマップであって、実験等によって適合され、予め作成される。
【００４３】
Ｓ１０８は、制御装置１０は、算出された消費電力Ｐｂｂ（１）〜Ｐｂｂ（３）のうちの最も大きい値を最大値Ｐｂｂ＿ｍａｘとして設定する。制御装置１０は、算出された消費電力Ｐｂｂ（１）〜Ｐｂｂ（３）のうちの最も小さい値を最小値Ｐｂｂ＿ｍｉｎとして設定する。
【００４４】
Ｓ１１０にて、制御装置１０は、最大値Ｐｂｂ＿ｍａｘから最小値Ｐｂｂ＿ｍｉｎを減算した値が許容値ΔＰよりも大きいか否かを判定する。この処理によって各バスバーにおける消費電力のばらつきが大きいか否かが判定される。最大値Ｐｂｂ＿ｍａｘから最小値Ｐｂｂ＿ｍｉｎを減算した値が許容値ΔＰよりも大きいと判定される場合（Ｓ１１０にてＹＥＳ）、処理はＳ１１２に移される。
【００４５】
Ｓ１１２にて、制御装置１０は、バスバー温度センサ４２からバスバー温度Ｔｂｂを取得する。Ｓ１１４にて、制御装置１０は、消費電力Ｐｂｂ（１）と環境温度ＴＢとに基づく許容温度Ｔｂｂ＿ｌｉｍｉｔを設定する。制御装置１０は、Ｓ１０４にて算出された消費電力Ｐｂｂ（１）と、環境温度ＴＢと、予め定められたマップとを用いて許容温度Ｔｂｂ＿ｌｉｍｉｔを設定する。許容温度Ｔｂｂ＿ｌｉｍｉｔとしては、たとえば、バスバー２４ａにおいて許容される温度であって、消費電力（発熱量）と環境温度とから想定されるバスバー温度Ｔｂｂの温度範囲の上限値が設定される。予め定められたマップは、消費電力Ｐｂｂ（１）と環境温度ＴＢと許容温度Ｔｂｂ＿ｌｉｍｉｔとの関係を示すマップであって、実験的あるいは設計的に適合され、予め作成される。
【００４６】
Ｓ１１６にて、制御装置１０は、バスバー温度Ｔｂｂが許容温度Ｔｂｂ＿ｌｉｍｉｔよりも高いか否かを判定する。バスバー温度Ｔｂｂが許容温度Ｔｂｂ＿ｌｉｍｉｔよりも高いと判定される場合（Ｓ１１６にてＹＥＳ）、処理はＳ１１８に移される。Ｓ１１８にて、制御装置１０は、電圧測定部３０による端部間電圧Ｖｂｂ（１）の検出結果が正常な検出結果でないと判定する。なお、制御装置１０は、電圧測定部３０による端部間電圧Ｖｂｂ（１）の検出結果が正常な検出結果でないと判定される場合に、その旨を利用者に通知してもよいし、電圧測定部３０の測定異常の発生を示すフラグをオン状態に設定してもよい。
【００４７】
なお、最大値Ｐｂｂ＿ｍａｘから最小値Ｐｂｂ＿ｍｉｎを減算した値が許容値ΔＰ以下であると判定される場合（Ｓ１１０にてＮＯ）、この処理は終了される。また、バスバー温度Ｔｂｂが許容温度Ｔｂｂ＿ｌｉｍｉｔ以下であると判定される場合（Ｓ１１６にてＮＯ）、処理はＳ１２０に移される。Ｓ１２０にて、制御装置１０は、バスバー２４ａ、２４ｂ，２４ｃのうちの少なくともいずれかが締結異常状態（締結に緩みがあるなどの異常状態）であると判定する。なお、制御装置１０は、いずれかのバスバーが締結異常状態であると判定される場合に、その旨を利用者に通知してもよいし、締結異常状態の発生を示すフラグをオン状態に設定してもよいし、バッテリ２０に流れる電流をしきい値以下に低下させる制御を実行してもよい。
【００４８】
以上のような構造およびフローチャートに基づく電源装置１の動作について説明する。たとえば、バッテリ２０から電気負荷に電力が供給されている場合を想定する。
【００４９】
電圧測定部３０から端部間電圧Ｖｂｂ（１）〜Ｖｂｂ（３）が取得され（Ｓ１００）、電流センサ５０から電流Ｉｂが取得されると（Ｓ１０２）、取得された端部間電圧Ｖｂｂ（１）〜Ｖｂｂ（３）の各々と、電流Ｉｂとが乗算されることによって、消費電力Ｐｂｂ（１）〜Ｐｂｂ（３）が算出される（Ｓ１０４）。
【００５０】
一方、電流Ｉｂに基づいて許容値ΔＰがマップ等を用いて設定される（Ｓ１０６）。算出された消費電力Ｐｂｂ（１）〜Ｐｂｂ（３）から最大値Ｐｂｂ＿ｍａｘと最小値Ｐｂｂ＿ｍｉｎとが設定される（Ｓ１０８）。最大値Ｐｂｂ＿ｍａｘから最小値Ｐｂｂ＿ｍｉｎを減算した値が許容値ΔＰよりも大きいと判定される場合には（Ｓ１１０）、バスバー温度センサ４２からバスバー温度Ｔｂｂが取得される（Ｓ１１２）。
【００５１】
消費電力Ｐｂｂ（１）と、環境温度ＴＢと、予め定められたマップとを用いて許容温度Ｔｂｂ＿ｌｉｍｉｔが設定され（Ｓ１１４）、バスバー温度センサ４２によって検出されるバスバー温度Ｔｂｂが許容温度Ｔｂｂ＿ｌｉｍｉｔよりも高いか否かが判定される（Ｓ１１６）。バスバー温度Ｔｂｂが許容温度Ｔｂｂ＿ｌｉｍｉｔよりも高いと判定される場合（Ｓ１１６にてＹＥＳ）、電圧測定部３０による端部間電圧Ｖｂｂ（１）の検出結果が正常な検出結果でないと判定される（Ｓ１１８）。
【００５２】
一方、バスバー温度センサ４２によって検出されるバスバー温度Ｔｂｂが許容温度Ｔｂｂ＿ｌｉｍｉｔ以下であると判定される場合（Ｓ１１６にてＮＯ）、電圧測定部３０による端部間電圧Ｖｂｂ（１）の検出結果は正常な検出結果であるため、バスバー２４ａ、２４ｂ，２４ｃのうちの少なくともいずれかが締結異常状態であると判定される（Ｓ１２０）。
【００５３】
以上のようにして、本実施の形態に係る電源装置１によると、バスバー温度センサ４２によって検出されるバスバー温度Ｔｂｂと、消費電力Ｐｂｂと環境温度ＴＢとから取得される許容温度Ｔｂｂ＿ｌｉｍｉｔとの比較結果を用いて、電圧測定部３０による検出結果が正常な検出結果であるか否かを精度高く判定することができる。したがって、複数の組電池間を接続する接続部材の電圧の検出結果が正常な検出結果であるか否かを精度高く判定する電源装置を提供することができる。
【００５４】
さらに、同じ端部間電圧を多重的に検出して電圧の検出結果が正常な検出結果であるか否かを判定する場合に比べて安価な構成で電圧の検出結果が正常な検出結果であるか否かを判定することができる。
【００５５】
以下、変形例について記載する。
上述の実施の形態では、組電池間を直列に接続する接続部材としてバスバーを一例として説明したが、たとえば、ケーブルであってもよい。
【００５６】
さらに上述の実施の形態では、第１組電池２２および第２組電池２６は、いずれも３個の電池セルを並列接続した電池ブロック２２ｂ，２６ｂを所定数だけ直列に接続して構成されるものとして説明したが、並列接続される電池セルの個数は、３個に限定されるものではなく、２個であってもよいし、４個以上であってもよい。あるいは、第１組電池２２および第２組電池２６は、電池セルが所定数だけ直列に接続されて構成されるものであってもよい。
【００５７】
さらに上述の実施の形態では、バスバー２４ａ，２４ｂ，２４ｃにおける消費電力のばらつきが大きく、かつ、バスバー温度Ｔｂｂが許容温度Ｔｂｂ＿ｌｉｍｉｔ以下である場合には、バスバー２４ａ，２４ｂ，２４ｃのうちのいずれかが締結異常状態であると判定するものとして説明したが、たとえば、バスバー２４ａ，２４ｂ，２４ｃにおける単位時間当たりの消費電力量のばらつきが大きく、かつ、バスバー温度Ｔｂｂが許容温度Ｔｂｂ＿ｌｉｍｉｔ以下である場合には、バスバー２４ａ，２４ｂ，２４ｃのうちのいずれかが締結異常状態であると判定してもよい。
【００５８】
さらに上述の実施の形態では、バスバー２４ａ，２４ｂ，２４ｃにおける消費電力のばらつきが大きいか否かを判定するものとして説明したが、消費電力に代えてバスバー２４ａ，２４ｂ，２４ｃにおける導通抵抗のばらつきが大きいか否かを判定してもよい。制御装置１０は、たとえば、電流Ｉｂと端部間電圧Ｖｂｂ（１）〜Ｖｂｂ（３）とを用いてバスバー２４ａ，２４ｂ，２４ｃにおける導通抵抗を算出してもよい。
【００５９】
さらに上述の実施の形態では、バスバー２４ａのみにバスバー温度センサ４２を設ける構成を一例として説明したが、たとえば、バスバー２４ａに代えて、バスバー２４ｂあるいはバスバー２４ｃにバスバー温度センサ４２を設けるようにしてもよいし、あるいは、バスバー２４ａ、バスバー２４ｂおよびバスバー２４ｃのうちの少なくともいずれか２つにバスバー温度センサを設けるようにしてもよい。複数のバスバー温度センサを設ける場合には、複数の検出値のうちの最も大きい検出値をバスバー温度Ｔｂｂとして取得してもよい。
【００６０】
さらに上述の実施の形態では、消費電力と環境温度とから想定されるバスバー２４ａの温度Ｔｂｂの温度範囲の上限値を許容温度Ｔｂｂ＿ｌｉｍｉｔとしてバスバー温度センサ４２により検出されるバスバー２４ａの温度Ｔｂｂと比較し、バスバー温度センサ４２により検出されるバスバー２４ａの温度Ｔｂｂが許容温度Ｔｂｂ＿ｌｉｍｉｔよりも大きい場合に、電圧測定部３０による端部電圧Ｖｂｂ（１）の検出結果が正常な検出結果でないと判定するものとして説明したがこのような構成に限定されるものではない。たとえば、消費電力と環境温度とから想定されるバスバー２４ａの温度Ｔｂｂの推定値を設定し、設定された推定値とバスバー温度センサ４２により検出されるバスバー２４ａの温度Ｔｂｂとを比較し、たとえば、バスバー温度センサ４２により検出されるバスバー２４ａの温度Ｔｂｂが推定値よりも所定値以上大きい場合に、電圧測定部３０による端部電圧Ｖｂｂ（１）の検出結果が正常な検出結果でないと判定してもよい。
【００６１】
さらに上述の実施の形態では、バスバー２４ａ，２４ｂ，２４ｃにおける消費電力のばらつきが大きいと判定される場合に、バスバー温度センサ４２により検出されるバスバー２４ａの温度Ｔｂｂと許容温度Ｔｂｂ＿ｌｉｍｉｔとを比較するものとして説明したが、バスバー２４ａ，２４ｂ，２４ｃにおける消費電力のばらつきに関係なく、バスバー温度センサ４２により検出されるバスバー２４ａの温度Ｔｂｂと許容温度Ｔｂｂ＿ｌｉｍｉｔとを比較してもよい。
【００６２】
なお、上記した変形例は、その全部または一部を適宜組み合わせて実施してもよい。
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００６３】
１  電源装置、１０  制御装置、１２  演算部、１４  記憶部、２０  バッテリ、２２  第１組電池、２２ａ，２６ａ  電池セル、２２ｂ，２６ｂ  電池ブロック、２２ｃ，２６ｃ  ブロック間バスバー、２２ｄ，２６ｄ  端子バスバー、２４，２４ａ，２４ｂ，２４ｃ  バスバー、２６  第２組電池、２８ａ  第３組電池、２８ｂ  第４組電池、３０  電圧測定部、４０  環境温度センサ、４２  バスバー温度センサ、５０  電流センサ。
【図１】
2019149235.tif 000003
【図２】
2019149235.tif 000004
【図３】
2019149235.tif 000005